(57)【特許請求の範囲】
【請求項１】
パウダーを保持する容器本体と蓋体とを有し、容器本体の開口部に複数のパウダー通過穴を有する仕切板を設けたパウダー容器において、
前記仕切板の上方には中皿を介在させ、仕切板との間に計量室を設け、パウダー容器を倒立させることにより、常時適量のパウダーが計量室に流入可能としたことを特徴とするパウダー容器。
【発明の詳細な説明】
【０００１】
【産業上の利用分野】
本発明は容器本体に保持されたパウダーを、仕切板に形成したパウダー通過穴を介して使用するパウダー容器に関するものであって、特に、仕切板上に中皿を設けて常時一定の適量のパウダーを使用することができるパウダー容器に関する。
【０００２】
【従来の技術】
従来のパウダー容器Ｘは、図９に示すように、容器本体51にパウダーＰを保持し、蓋体52を着脱可能な容器内に、複数のパウダー通過穴54を設けた仕切板53を設ける構造が一般的である。仕切板53は皿状の形状を有し、蓋体52との間にパフ55を載置可能な空間を設けている。
【０００３】
かかる従来のパウダー容器Ｘによれば、パフ55を容器内部に置き、パウダー容器Ｘを倒立させることにより、パウダーＰがパウダー通過穴54を通ってパフ55に付着させることができる構造となっている。
【０００４】
【発明が解決しようとする課題】
しかし上記した従来のパウダー容器Ｘにおいては、長時間、パウダー容器Ｘが傾きまたは倒立した状態に置かれると、パウダー通過穴54で予定するパウダーＰの量以上の分量がパウダー通過穴54を通してパフ55側へ漏れ、結果として必要以上のパウダーＰがパフ55に付着して、付けすぎが生じるという問題点があった。
【０００５】
特に、パウダー容器Ｘをハンドバック等に入れて長時間、持ち歩く場合は、パウダー容器Ｘに与えられる振動により、相当量のパウダーＰがパフ55の裏側へ廻りこんで蓋体52側へ漏れてしまい、パフ55がパウダーまみれになってしまったり、また、蓋体52を空けた際、パウダーＰが飛散してしまうおそれがあった。
【０００６】
また、使用時、パウダー容器を倒立させてパフ55にパウダーＰを付着させる場合であっても、パウダーＰのパフ55への付着量は倒立時間やその動作に依存し、常に一定量を付着させることは難しい。
【０００７】
そこで、本発明の目的は、必要以上のパウダーが仕切板を越え、パウダーの付けすぎが生じることを防止し、常に適量のパウダーを使用することができるパウダー容器を提供することにあり、また、気密性を高め、携帯時、パフがパウダーまみれになったり、蓋体を空けた際にパウダーが飛散することを防止できるパウダー容器を提供することにある。
【０００８】
【課題を解決するための手段】
上記課題を解決するために本発明に係るパウダー容器は、パウダーを保持する容器本体と蓋体とを有し、容器本体の開口部に複数のパウダー通過穴を有する仕切板を設けたパウダー容器において、前記仕切板の上方には中皿を介在させ、仕切板との間に計量室を設け、パウダー容器を倒立させることにより、常時一定の適量のパウダーが計量室に流入可能としたパウダー容器を提供して上記課題を解決している。
【０００９】
【発明の実施の形態】
本発明に係るパウダー容器の実施例を図を用いて説明する。図１は第１実施例のパウダー容器の一部断面斜視図、図２は同実施例の蓋体を外した状態のパウダー容器の一部断面斜視図、図３は同実施例のパウダー容器の分解斜視図、図４は同実施例の使用状態を示す説明図である。
【００１０】
図１乃至図３に示すように、パウダー容器Ａにおいて、容器本体１は略カップ状に形成されており、内側にパウダーＰを保持する構造となっている。容器本体１の開口部１ａの外側には蓋体２を嵌着させるための段部１ｂが形成され、該開口部１ａの外周面にはネジ１ｃが形成されている。蓋体２は、その外周片の内面にネジ２ａが形成されており、該ネジ２ａを容器本体１のネジ１ｃに螺合させることによって、蓋体２を容器本体１に取り付けることができる。
【００１１】
図２及び図３に示すように、容器本体１の開口部１ａには、仕切板３を内嵌している。仕切板３はポリエチレン等、弾性に富む合成樹脂材により形成された皿状体であって、底板３ａの周縁に所定の高さの外周片３ｂを形成しており、さらにこの外周片３ｂの上端にはフランジ３ｃを形成している。このため、仕切板３を容器本体１の開口部１ａにはめ込むと、外周片３ｂが同開口部１ａの内面に面接し、さらにフランジ３ｃが同開口部１ａの縁部に接して、パウダーＰの漏れを防止する。また、仕切板３の底板３ａには複数のパウダー通過穴４が所定の間隔で形成されている。
【００１２】
図１及び図３に示すように、仕切板３の上方には、パフ５を載置する中皿６を取り付け可能に構成している。中皿６は円形の底板６ａの外周に段差を付けてフランジ６ｂを形成しており、底板６ａの下面およびフランジ６ｂの下面にそれぞれ環状の突条６ｃ、６ｄを設けている。中皿６を仕切板３に載せた場合、底板６ａの突条６ｃは仕切板３の底板３ａの上面に、またフランジ６ｂの突条６ｄはフランジ３ｃの上面に接触し、パウダーＰに対するシーリング構造を構成する。
【００１３】
特に、中皿６の底板６ａに形成された突条６ｃは、この底板６ａのパウダー通過穴４群の外側を囲むように設計されている。中皿６を仕切板３上に載せた状態にあっては、中皿６の底板６ａ、突条６ｃ、さらに仕切板３の底板３ａに囲まれた計量室Ｓが形成される（図１参照）。なお、蓋体２の内底部には押圧段差２ｂが形成されており、容器本体１に仕切板３、中皿６を取付けた状態でこの蓋体２を容器本体１に嵌着すると、蓋体２の押圧段差２ｂが中皿６のフランジ６ｂを押圧し、突条６ｃ、６ｄを仕切板３の底板３ａ、フランジ３ｃのそれぞれに圧接して気密性を高める。
【００１４】
次に図４を用いて、パウダー容器Ａの使用方法を説明する。同図(a) に示すように、通常時、仕切板３を嵌着した容器本体１に、中皿６及びパフ５を載せ、蓋体２を閉めた状態にあっては、蓋体２が中皿６を押圧し、中皿６の突条６ｃが仕切板３の底板３ａに圧接し、中皿６と仕切板３との間に形成される計量室Ｓは、パウダー容器Ａ外側に対して気密されている。
【００１５】
以上の状態でパウダー容器Ａを倒すと、容器本体１内のパウダーＰはパウダー通過穴４を通過して計量室Ｓに進入する。所定時間、倒立状態を維持することにより計量室ＳにパウダーＰが充填され、再びパウダー容器Ａをもとの位置に戻しても、パウダー通過穴４上のパウダーＰが容器本体１側に戻るほかは仕切板３の底板３ａ上に残留する。すなわち、所定時間、蓋体２を閉めた状態で、パウダー容器Ａを倒立させることにより、常に所定のパウダー量を計量室Ｓに保持することができる。計量室ＳのパウダーＰは一部がパウダー通過穴４を通って、容器本体１側に戻るために、計量室Ｓの体積は必要パウダー量より若干大きくなるように設計される。なお、このときパウダーＰは、中皿６の突条６ｃ並びに６ｄに二重に阻まれ、中皿６上のパフ５に付着することはない。
【００１６】
次に、図４(b) に示すように、蓋体２及び中皿６を取り外し、仕切板３上に残留したパウダーＰをパフ５に付けて使用する。仕切板３上のパウダーＰ１は計量室Ｓにより制御された量であるため、パフ５にパウダーＰを適量付着させることができ、ユーザーは快適に使用することができる。
【００１７】
なお、計量室Ｓの体積は、中皿６に形成された環状の突条６ｃの径や高さ並びにパウダー通過穴４の大きさを変えることにより容易に変更することができ、一回に使用するパウダーＰ１の分量を容器設計の段階で任意且つ簡単に設定することができる。
【００１８】
図５に、本発明の第２実施例を説明する。同図(a) は第２実施例のパウダー容器Ｂの断面部分図であり、同図(b) は同パウダー容器Ｂのパウダー通過穴の拡大斜視図である。なお、第１実施例と同様の構成は同じ番号を付して説明を省略する。
【００１９】
パウダー容器Ｂの仕切板３には、第１実施例と同様に複数のパウダー通過穴14が形成されている。但し、このパウダー通過穴14の周囲は断面台形状の隆起部14ａを有している。
【００２０】
本実施例の構成によれば、一旦、このパウダー通過穴14を通過して計量室Ｓへ移動したパウダーは、パウダー容器Ｂをもとの位置に戻しても、再びパウダー通過穴14を通って容器本体１に戻りにくい。また、パフ５でパウダーを掬っても、隆起部14ａが障害となってパウダー通過穴14から容器本体１側へ落下してしまうことはなく、より好適な量のパウダーをパフ５に付着させることができる。
【００２１】
図６に、本発明の第３実施例を説明する。同図(a) は第３実施例のパウダー容器Ｃの断面部分図であり、同図(b) は同パウダー容器Ｃのパウダー通過穴周辺の拡大斜視図である。同様に、第１実施例、第２実施例と同様の構成は同じ番号を付して説明を省略する。
【００２２】
パウダー容器Ｃの中皿16は、第１実施例の中皿と同様に底板16ａの周縁に段差を設けてフランジ16ｂが形成されているが、底板16ａ下面の突条16ｃは１つではなく、仕切板３の個々のパウダー通過穴14に対応させて複数形成されている。このため、中皿16を仕切板３上に載置した場合は、パウダー通過穴14上に複数の計量室Ｓｎが形成されることになる。
【００２３】
本実施例の構造によれば、各パウダー通過穴14毎に気密性が確保されるため、よりパウダーＰの漏れの虞れのないパウダー容器を構成することができる。なお他の実施例と同様に、中皿16のフランジ16ｂ下面には突条16dが形成されており、気密性を高めている。
【００２４】
図７及び図８を用いて、本発明の第４実施例を説明する。図７は蓋体を閉じた状態の第４実施例のパウダー容器Ｄの側断面図、図８は蓋体を開いた第４実施例のパウダー容器Ｄの側断面図である。本実施例のパウダー容器Ｄは、蓋体及び中皿を容器本体に対して蝶着し、開閉可能に構成したものである。
【００２５】
図７に示すように、第１実施例と同様に、パウダーＰを保持する容器本体21の開口部21ａに仕切板23が内嵌されている。この仕切板23の底板23ａには複数のパウダー通過穴24が開口されており、仕切板23の周縁には外周片23ｂ、フランジ23ｃが形成されて気密性を高めている。また、パフ25をその上面に載置する中皿26は底板26ａの外周に段差を付けてフランジ26ｂを形成しており、底板26ａの下面およびフランジ26ｂの下面にそれぞれ環状の突条26ｃ、26ｄを設けてパウダー容器Ｄを閉じた際の気密性を保っている。中皿26と仕切板23との間に計量室Ｓが形成される。さらに、蓋体22にはその裏面に鏡22ａが取付けられている。
【００２６】
蓋体22及び中皿26は、それぞれ一端に形成されたヒンジ部22ｂ、26ｅを容器本体21のヒンジ部21ｂに重ね、ヒンジピン27を嵌入することによりそれぞれが回動自在に係合している。また、容器本体21と蓋体22の他端には、係合爪21ｃ、22ｃがそれぞれ形成され、蓋体22を閉めた際、両者が係合して閉じた状態を維持する。
【００２７】
図８にパウダー容器Ｄの使用状態を示す。まず、パウダー容器Ｄを使用する際は、蓋体22を閉めた状態でパウダー容器Ｄを一定時間倒立させ、所定量のパウダーＰを容器本体から計量室Ｓへ移動させる。そして、再度、パウダー容器Ｄをもとの位置に戻して、蓋体22を開いて使用する。この際、蓋体22を回動させて開き、パフ５を取出したあと、中皿26を跳ね上げて使用する。仕切板23上にはパウダーＰ１が計量室Ｓにより量られた分だけ保持されており、パフ25に付けて使用する。
【００２８】
本実施例のパウダー容器Ｄは、他の実施例と異なり、使用時、蓋体22及び中皿26をいずれかの場所に仮置きする必要はなく、仮置きができない場所等でも快適に使用できる。
【００２９】
以上説明した実施例では、中皿６、16、26の下面に突条６ｃ、16ｃ、26ｃを設けることによって計量室Ｓ、Ｓｎを形成したが、計量室Ｓの形成にこれら突条は必ずしも必要ではなく、単に中皿と仕切板との間の空間の高さを調節することによって計量室を設けてもよい。また、いずれの実施例も、パフ５、25を中皿６、16、26の上に載置しえる構造としたが、パフを保持しないパウダー容器を構成することができるのは勿論である。
【００３０】
【発明の効果】
本発明のパウダー容器は、仕切板の上方に中皿を設け、両者間に計量室を構成したので、所定量のパウダーＰを仕切板上に残して使用可能とすることができる。このため、使用時に常に適量のパウダーをパフに付けることができ、使用感に優れたパウダー容器とすることができる。
【００３１】
また、計量室が気密性を高める役割を果たし、パウダー容器の開放時、パウダーが飛散することを防止することができるため、携帯性に優れたパウダー容器とすることができる。
【図面の簡単な説明】
【図１】第１実施例のパウダー容器の一部断面斜視図である。
【図２】第１実施例の蓋体を外した状態のパウダー容器の一部断面斜視図である。
【図３】第１実施例のパウダー容器の分解斜視図である。
【図４】第１実施例の使用状態を示す説明図である。
【図５】第２実施例のパウダー容器の説明図である。
【図６】第３実施例のパウダー容器の説明図である。
【図７】第４実施例のパウダー容器の、蓋体を閉じた状態の側断面図である。
【図８】第４実施例のパウダー容器の、蓋体を開けた状態の側断面図である。
【図９】従来のパウダー容器の側断面図である。
【符号の説明】
Ａ、Ｂ、Ｃ、Ｄ…パウダー容器
Ｐ、Ｐ１    …パウダー
Ｓ、Ｓｎ    …計量室
１、21      …容器本体
２、22      …蓋体
３、23      …仕切板
４、14、24  …パウダー通過穴
５、25      …パフ
６、16、26  …中皿
【図１】
0003847874.tif 000002
【図２】
0003847874.tif 000003
【図３】
0003847874.tif 000004
【図４】
0003847874.tif 000005
【図５】
0003847874.tif 000006
【図６】
0003847874.tif 000007
【図７】
0003847874.tif 000008
【図８】
0003847874.tif 000009
【図９】
0003847874.tif 000010